(57)【要約】【課題】従来、上下方向に配するロータリ耕耘爪で畝溝を除草する除草装置では、この駆動軸に雑草が巻き付き易く、作業後にこの巻き付いた雑草を取り除く手間を要した。【解決手段】乗用管理機の車体後部に、伝動機構を内装する伝動ケース６を昇降自在に備える。同ケース６の下部に左右方向に配する駆動軸７，７を備え、この駆動軸７，７周りに左右方向に配するプレート状のカッター１７，１７…を支持する。また前記伝動ケース６の前方には、同ケース６の前方を覆い且つ土壌面に接しながら前記駆動軸７後方まで延設するカバー部材２２を備える。【選択図】図６
2006204162.tif 000002
【特許請求の範囲】
【請求項１】
伝動機構を内装する伝動ケース（６）の下部に左右方向に配する駆動軸（７，７）を備え、この駆動軸（７，７）周りに左右方向に配するプレート状のカッター（１７，１７…）を支持したことを特徴とする除草装置。
【請求項２】
前記伝動ケース（６）の前方には、同ケース（６）の前方を覆い且つ土壌面に接しながら前記駆動軸（７）後方まで延設するカバー部材（２２）を備えたことを特徴とする請求項１に記載の除草装置。
【発明の詳細な説明】
【技術分野】
【０００１】
この発明は、畝間（畝溝）に生えた雑草類を除草する除草装置の構成に関するものである。
【背景技術】
【０００２】
従来、農用車両に備える除草装置としては、車体後部にカルチ爪を副数本併設すると共に、このカルチ爪の左右両側にロータリ式耕耘爪を設け、車両の進行に伴って前記カルチ部で畝の表面を削り、また左右両側の耕耘爪で畝溝部を削って除草するものが知られている（特許文献１）。
【特許文献１】特開平9-37604号公報
【発明の開示】
【発明が解決しようとする課題】
【０００３】
前記従来の除草装置では、ロータリ式耕耘爪により畝溝部を除草するため、この耕耘爪を回転している際にも隣接する爪の間隙に雑草類が入り込み易く、特に爪の回転基部に巻き付いて、作業後、これら雑草類を取り除く手間を要するもので有った。そこで、この発明は、除草効率を損なわず且つ草の巻き付きが発生しない除草装置を提供しようとするものである。
【課題を解決するための手段】
【０００４】
前記課題を解決するために、この発明は次のような技術的手段を講じた。
即ち、請求項１の発明は、伝動機構を内装する伝動ケース（６）の下部に左右方向に配する駆動軸（７，７）を備え、この駆動軸（７，７）周りに左右方向に配するプレート状のカッター（１７，１７…）を支持したことを特徴とする除草装置とした。
（請求項１の作用）
以上のように構成した請求項１の発明では、駆動軸（７，７）を回転駆動させながら畝溝部を移動させると、プレート状のカッター（１７，１７…）により雑草類または土壌表面と共にこの根部がカットされた後、土壌に落される。
【０００５】
また請求項２の発明は、前記伝動ケース（６）の前方には、同ケース（６）の前方を覆い且つ土壌面に接しながら前記駆動軸（７）後方まで延設するカバー部材（２２）を備えたことを特徴とする請求項１に記載の除草装置とした。
（請求項２の作用）
以上のように構成した請求項２の発明では、カバー部材（２２）によって伝動ケース（６）前方に位置する雑草類を、前記駆動軸（７）が通過するまで、その接近を阻止する。
【発明の効果】
【０００６】
これにより、請求項１の発明では、左右方向に配するプレート状のカッター（１７，１７…）を駆動軸（７）回りで回転させるので、前記従来のように上下方向に併設するロータリ耕耘爪を備える構成と比較して、雑草類が駆動軸（７）へ接近する状況を極力阻止して同軸（７）への絡まりも抑制する。
【０００７】
また請求項２の発明では、伝動ケース（６）の前方、即ちプレート状のカッター（１７，１７…）が位置しない箇所もカバー部材（２２）にて駆動軸（７）後方まで覆われているので、前記同様、雑草類が駆動軸（７）へ接近する状況を極力阻止して同軸（７）への絡まりも抑制する。
【発明を実施するための最良の形態】
【０００８】
以下、図面に基づいて、この発明を説明する。
図１には除草装置を備えた乗用管理機の側面図、図２には除草装置の側面図、図３には除草装置の背面図が図示されている。
【０００９】
乗用管理機１の車体後部には、図１に示すように、昇降装置２を介して除草装置３が昇降自在に連結されている。
この除草装置３は、前記乗用管理機１のＰＴＯ動力を伝達させる伝動ボックス４と、伝動ボックス４に下方に向かって複数併設する伝動ケース６，６…と、各伝動ケース６の下端部左右両側に左右方向に突出軸架されている駆動軸７，７と、駆動軸７，７の左右両側部に取り付けられているかご型の除草機８，８と、各除草機８の上方及び上部外側方を覆う上部カバー９と、上部カバー９，９のフレーム部に上下調節自在に取り付けられている尾輪１１等により構成されている。また前記各伝動ケース６の下部には除草爪１０を取り付けている。
【００１０】
また前記除草機８は、図２と図３に示すように、前記伝動ケース６に隣接して回転させる大径の内側輪体１２を備える共に、畝１９側で回転させる小径の外側輪体１３を備え、この左右輪体１２，１３間に前記駆動軸７への取付アーム１４，１４…及び筒体１６を設け、更にこの内側輪体１２と外側輪体１３の外周部間にプレート状のカッター（以下、カッターブレード１７，１７…）を左右方向に沿わせて複数取付け、全体をかご型に構成している。
【００１１】
また前記各カッターブレード１７は、側面視内周側から外周側に向けて後退角αを持つように傾斜状に構成されている横ブレード部１７ａと、横ブレード部１７ａの左右外側端部から中心部に向けて折曲しその内周側端部が外側転輪１３に取り付けられていて且つブレード１７の板体が前後方向に沿うようにして構成されている縦ブレード部１７ｂとにより構成されている。
【００１２】
以上のように構成した除草装置３では、図３に示すように、例えば大豆等の作物１８が植えられている畝１９の溝部２１に前記横ブレード部１７ａを位置させると共に、縦ブレード部１７ｂを畝１９の斜面部下端に位置させた状態で、ブレード１７，１７…を駆動軸７周りにダウンカット方向（図２中矢印Ａ方向）に回転させる。
【００１３】
すると、雑草類は、横ブレード部１７ａの後退角αの斜面部で下方に掻き込まれつつ切断破砕され、或いは縦ブレード部１７ｂにより畝１９の斜面部及び底部（図中ハッチング部）が浅く削られ、斜面部に残存している雑草類及び土が内側に掻き込まれ、切断破砕される。
【００１４】
前記のように、左右方向に配するカッターブレード１７，１７…を駆動軸７回りで回転させ、また前記横ブレード部１７ａの前側面に後退角を形成したので、雑草類が駆動軸７へ接近するまでに確実に切断、即ち除草して、同軸７への絡まりを抑制する。ひいては除草作業を中断すること無く連続して行なうことができる。
【００１５】
尚、前記除草機８は、この駆動軸７の回転数を前記乗用管理機の速度、詳しくは前後輪の回転数よりも高速で回転させ、またこの回転径は、雑草類の背丈よりも大きな径を設定する。
【００１６】
次に、図４乃至図１１に基づき他の形態の除草装置３について説明する。
図４と図５に示す除草装置３は、前記ブレード１７の外端部を畝溝２１の底部形状に合わせて上方へ屈曲させた構成としている。
【００１７】
詳しくは、前記同様、前記伝動ケース６に隣接して回転させる大径の内側輪体１２を備える共に、畝１９側で回転させる小径の外側輪体１３を備え、この左右輪体１２，１３間に前記駆動軸７への取付アーム１４，１４…及び筒体１６を設け、更にこの内側輪体１２と外側輪体１３の外周部間にカッターブレード１７，１７…を左右方向に沿わせて複数取付け、全体をかご型に構成している。
【００１８】
そして、前記ブレード１７は、この内側部を左右方向に沿った水平ブレード部１７ｃに構成し、左右各水平ブレード１７の外側部を回転中心側に湾曲させて湾曲ブレード部１７ｄに構成している。
【００１９】
しかして、図５に示すように、例えば大豆等の作物１８の植えられている畝１９間の溝部２１に前記水平ブレード部１７ｃを配置し、湾曲ブレード部１７ｄを畝１９の斜面部下端に配置した状態で、同ブレード１７をダウンカット方向に回転させながら畝１９に沿って前進させる。
【００２０】
すると、水平ブレード部１７ｃの刃部で雑草類が下方に掻き込まれながら刈り取られ、また、湾曲ブレード部１７ｄにより畝１９の斜面部底部が削られ、斜面部に残存している雑草類及び土が内側に掻き込まれて刈り取られた雑草類が覆土され、更に水平ブレード部１７ｃ及び湾曲ブレード部１７ｄにより雑草類を破砕しながら除草作業がなされる。
【００２１】
前記のように、除草機８のブレード１７外側部を湾曲状に構成し、畝溝部２１底部に対応配置することにより、畝１９の崩れを少なくしながら除草作業をすることができる。
また、図６と図７に示す除草装置は、前記各伝動ケース６，６…に同ケース６の前方及び下方を覆う間隔部カバー２２を備える構成としている。
【００２２】
詳しくは、伝動ケース６の上下中途部から前方に向かって取付フレーム２３を支持し、この取付フレーム２３の前端部に、前記間隔部カバー２２の上部を取付ける構成としている。
【００２３】
また前記間隔部カバー２２は、前側の円弧状部２２ａと側面視除草機８の下部から前記駆動軸７後方位置まで覆う下側板部２２ｂから構成されている。
また前記間隔部カバー２２は、板バネ状に構成され、図６に示す二点鎖線のように、除草装置３を上昇させると、ブレード１７，１７の下端部から離れ、また作業状態（実線部）では地面により押し上げられて、カバー左右両縁部を前記ブレード１７，１７に接触する構成となっている。
【００２４】
しかして、除草装置３を上昇した時には、この回転により異音を発生したり、ブレード１７を摩耗することを防止しつつ、作業時には間隔部カバー２２により伝動ケース６前方から接近する雑草類が押し倒され、雑草類が駆動軸７へ接触することを阻止して巻き付きを防止することができる。
【００２５】
また、前記間隔部カバー２２は、図８に示すように、スプリング２６にて下方へ付勢する構成しても良い。前記構成では、伝動ケース６の上下中途部から取付フレーム２３を前方に延出し、取付フレーム２３の前側端部に取付板２４を下方に向けて突設し、この取付板２４に左右方向の回動軸を介して間隔部カバー２２の前端部を枢支し、更に前記取付板２４と間隔部カバー２２の前端部の間にスプリング２６を介装して、間隔部カバー２２を下方、即ち地面側に付勢する。
【００２６】
しかして、昇降装置２により除草装置３を上昇すると、前記同様、間隔部カバー２２は前側に移動して回転しているブレード１７，１７…から離れ、前記同様、異音の発生や摩耗を防止し、また駆動軸７への巻き付き耐久性を高めることができる。
【００２７】
また、図９と図１０に示すように、除草機８の内外の一部または全部をプレート部材にて塞ぐ構成としても良い。
詳しくは、前記同様、大径の内側輪体１２と小径の外側輪体１３の内周部には駆動軸７への取付用アーム１４及び筒体１６を設け、この内側輪体１２と外側輪体１３間に複数のブレード１７，１７…を左右方向に沿わせて取り付けてかご型の除草機８を構成し、大径の内側輪体１２の外周部内側を所定巾を有する内側リング板２７で覆うと共に、内側輪体１２の中心部のみを開口状態とし、一方前記小径の外側輪体１３の外側全面を外側閉鎖板２８で閉鎖する構成としている。
【００２８】
しかして、かご型の除草機８の内部へ左右両側から雑草類が侵入、即ち駆動軸７への雑草類の巻き付きを極力防止し、作業負荷を軽減しながら円滑に除草作業をすることができる。
【００２９】
また図１１に示す除草機８は、作業幅を広狭に調整可能に構成するものである。
詳しくは、前記大径の内側輪体１２には取付用のアーム１４，１４…及び筒体１６ａを構成し、小径の外側輪体１３の内周部には駆動軸７への取付用のアーム１４及び外側筒体１６ｂを構成し、内側筒体１６ａと外側筒体１６ｂとの間に筒状のスペーサ筒体１６ｃをボルト・ナットで着脱自在に継ぎ足し可能に構成している。尚、前記ブレード１７，１７…は、作業巾に応じた長さのものを前記内外の輪体１２，１３間に接続する。
【００３０】
しかして、図１１（Ａ）に示すように、スペーサ筒体１６ｃを一個継ぎ足した場合には、内側輪体１２と外側輪体１３の外周部間にこの間隔に合ったブレード１７，１７…を選択して取り付け、左右幅の広いご型の除草機８を構成する。また、更に幅広のかご型除草機８を構成するときには、図１１（Ｂ）に示すように、スペーサ筒体１６ｃを継ぎ足す。
【００３１】
これにより、地域により異なる畝間隔に容易に対応することができ、畝間隔に合った適正な除草作業をすることができる。
また、図１２と図１３に示す除草装置３は、前記伝動ケース６から取付フレーム２３を突設し、この取付フレーム２３の後部に左右方向のツールバー２９を取り付け、このツールバー２９に、左右の除草機８の左右両側方で且つ後方に位置するへら状のスクレーパ３１，３１を、前記ツールバー２９に対して左右方向に調整自在に取り付けている。
【００３２】
これにより、左右のスクレーパ３１，３１を畝１９の傾斜面部に作用させて、傾斜面部に残っている雑草類と土を掻き取って溝部２１の雑草類に覆土し、雑草類の発生を抑制すると共に除草の仕上がりをきれいにすることができる。
【図面の簡単な説明】
【００３３】
【図１】乗用管理機の側面図。
【図２】除草装置の側面図。
【図３】作業状態を示す除草装置の背面図。
【図４】一部別形態の除草装置の側面図。
【図５】作業状態を示す図４の除草装置の背面図。
【図６】カバーを有する除草装置を備えた乗用管理機の側面図。
【図７】図６の除草装置の正面図。
【図８】図６の除草装置を一部改良した除草装置の側面図。
【図９】プレート部材を備えた除草装置の側面図。
【図１０】図９の除草装置の正面図。
【図１１】（Ａ）幅狭状態に設定した除草装置の背面図。（Ｂ）幅広状態に設定した除草装置の背面図。
【図１２】スクレーパを備えた除草装置の側面図。
【図１３】図１２の除草装置の背面図。
【符号の説明】
【００３４】
１    乗用管理機
２    昇降装置
３    除草装置
６    中央伝動ケース
７    駆動軸
８    かご型の除草機
１２    内側輪体
１３    外側輪体
１４    アーム
１６    筒体
１６ａ    内側体
１６ｂ    外側体
１６ｃ    スペーサ筒体
１７    カッターブレード
２２    間隔部カバー
【図１】
2006204162.tif 000003
【図２】
2006204162.tif 000004
【図３】
2006204162.tif 000005
【図４】
2006204162.tif 000006
【図５】
2006204162.tif 000007
【図６】
2006204162.tif 000008
【図７】
2006204162.tif 000009
【図８】
2006204162.tif 000010
【図９】
2006204162.tif 000011
【図１０】
2006204162.tif 000012
【図１１】
2006204162.tif 000013
【図１２】
2006204162.tif 000014
【図１３】
2006204162.tif 000015